(57)【特許請求の範囲】
【請求項１】
データ生成部が、
第１のディジタルコンテンツを第１のエンコードパラメータでエンコードし、第１のディジタルコンテンツコピーを生成するステップと、
前記第１のディジタルコンテンツを、前記第１のエンコードパラメータとは異なる第２のエンコードパラメータでエンコードし、前記第１のディジタルコンテンツコピーのより品質が低い第２のディジタルコンテンツコピーを生成するステップと、
前記第１のディジタルコンテンツを、前記第１及び第２のエンコードパラメータとは異なる第３のエンコードパラメータでエンコードし、前記第１のディジタルコンテンツコピーのより品質が低い第３のディジタルコンテンツコピーを生成するステップと、
前記第２のディジタルコンテンツコピーを暗号鍵で暗号化し、第１の暗号ディジタルコンテンツコピーを生成するステップと、
前記第３のディジタルコンテンツコピーを２回、前記暗号鍵で暗号化し、第２の暗号ディジタルコンテンツコピーを生成するステップと、
第１のディジタルコンテンツコピーと、第１の暗号ディジタルコンテンツコピーと、第２の暗号ディジタルコンテンツコピーとを合わせて、ディジタルコンテンツ集合を生成するステップと、を実行し、
ディジタル出力部が、前記暗号鍵を用いて暗号化したコンテンツを復号する復号鍵を用いて、前記ディジタルコンテンツ集合を復号する第１の復号化を行い、第２のディジタルコンテンツコピーを得るステップを実行し、
前記第１の復号化では、前記第１の復号化前の前記ディジタルコンテンツ集合に含まれる前記第１のディジタルコンテンツコピーを利用できないようにすることを特徴とするディジタルコンテンツの生成方法。
【請求項２】
請求項１において、
前記第１のディジタルコンテンツコピーは、前記第１のディジタルコンテンツよりも情報量が少ないことを特徴とするディジタルコンテンツの生成方法。
【請求項３】
請求項１において、
前記第１のディジタルコンテンツコピーを生成するステップは、前記第１のディジタルコンテンツのデータ圧縮を含むことを特徴とするディジタルコンテンツの生成方法。
【請求項４】
請求項１において、
前記第１のディジタルコンテンツコピーを生成するステップは、前記第１のディジタルコンテンツの検出を含むことを特徴とするディジタルコンテンツの生成方法。
【請求項５】
第１のディジタルコンテンツを第１のエンコードパラメータでエンコードし、第１のディジタルコンテンツコピーを生成し、前記第１のディジタルコンテンツを、前記第１のエンコードパラメータとは異なる第２のエンコードパラメータでエンコードし、前記第１のディジタルコンテンツコピーのより品質が低い第２のディジタルコンテンツコピーを生成し、前記第１のディジタルコンテンツを、前記第１及び第２のエンコードパラメータとは異なる第３のエンコードパラメータでエンコードし、前記第１のディジタルコンテンツコピーのより品質が低い第３のディジタルコンテンツコピーを生成するエンコーダと、
前記第２のディジタルコンテンツコピーを第１の暗号鍵で暗号化することで第１の暗号ディジタルコンテンツコピーを生成し、前記第３のディジタルコンテンツコピーを第２の暗号鍵で暗号化することで第２の暗号ディジタルコンテンツコピーを生成し、前記第１の暗号鍵を第３の暗号鍵で暗号化することで第１の暗号化された鍵を生成し、前記第２の暗号鍵を前記第３の暗号鍵で２回暗号化することで第２の暗号化された鍵を生成する暗号化手段と、
第１のディジタルコンテンツコピーと、第１の暗号ディジタルコンテンツコピーと、第２の暗号ディジタルコンテンツコピーとを結合させ、ディジタルコンテンツ集合を生成するデータ生成手段と、
前記暗号鍵を用いて暗号化したコンテンツを復号する復号鍵を用いて、前記ディジタルコンテンツ集合を復号する第１の復号化を行い、第２のディジタルコンテンツコピーを得るステップを実行し、
前記第１の復号化では、前記第１の復号化前の前記ディジタルコンテンツ集合に含まれる前記第１のディジタルコンテンツコピーを利用できないようにする復号化手段とを備えたことを特徴とする記録装置。
【請求項６】
請求項５において、
前記ディジタルコンテンツ集合をアナログ信号に変換するアナログ出力部を備えたことを特徴とする記録装置。
【請求項７】
請求項５において、
前記ディジタルコンテンツ集合の品質を低下させる劣化機構を備えたことを特徴とする記録装置。
【発明の詳細な説明】
【０００１】
【発明の属する技術分野】
本発明は、ディジタルコンテンツを保護する方法及び装置に係わり、特にディジタルコピーを行うとその品質が劣化するようなディジタルコピー方法及びディジタルコンテンツの記録装置に関する。
【０００２】
【従来の技術】
情報機器の普及とネットワークの発達により、音楽や静止画または動画からなる画像などのディジタルコンテンツのネットワーク配信が盛んに行われるようになっている。このようなディジタルコンテンツの配信においては、著作権保護が問題になる。アナログデータでは、コピーを行うとコピー元に比べコピー先ではその品質に劣化が生じていた。しかし、ディジタルデータではコピーを繰り返し行っても品質の劣化は生じない。したがって、ディジタルデータではコピーをすることに制限が無ければ、コピーを繰り返してオリジナルのデータと同質のデータを無制限に作ることが可能である。また、今日の多機能なPC（パーソナルコンピュータ）の出現によりPCでの音楽・映像コンテンツの再生が可能になった。PCではCD・DVDプレーヤなどのコンテンツ再生専用機に比べ様々な操作を行うことが可能である。CDやDVDからコンテンツデータを直接取り出すことができる。また、一度取り出したデータは容易にコピーを繰り返すことができる。
【０００３】
従来、音楽・映像コンテンツの再生はCD・DVDプレーヤのような再生専用機器で行われ、再生専用機器ではディジタルコンテンツのコピーの可否を制御することが可能であった。例えば、DVDではCSS(Contents Scramble System)により暗号化し、コンテンツデータを保護する。暗号化されたコンテンツデータであれば、媒体から直接データを取り出しても暗号化を解く復号鍵を所有していなければ、コンテンツの再生をすることはできない。また、CGMS(Copy Generation Management System)により、オリジナルからのコピーは許すがコピーからのコピーは許さないといったようなコンテンツの世代管理を行っている。
【０００４】
【発明が解決しようとする課題】
上記の方法の場合、ディジタルコンテンツのコピーは、完全なコピーが出来るか出来ないかの二通りでしかなく、柔軟性がない。ここで、完全なコピーとはコピー元のディジタルコンテンツとコピー先のディジタルコンテンツでコンテンツ利用者が品質の違いを感覚的に認知できないようなコピーのことである。このようにディジタルコンテンツのコピーに柔軟性がなければ、例えば、コピーを許さない世代のコンテンツデータからはコピーが出来ないことにより、ディジタルコンテンツのユーザが本来可能であるはずの、個人的な使用目的でコピーを行う行為が制限を受けてしまう可能性がある。また、コピーを許す世代のコンテンツデータからは、コンテンツの品質は全く変化せずに完全なコピーを行うことが可能であり、不正にコピーを繰り返された場合、著作権保護の観点から問題がある。
【０００５】
そこで、本発明の目的は、ディジタルコピーによる完全なコピーを防止するために、ディジタルコンテンツの著作者の権利を保護しつつ、利用者にディジタルコンテンツの取得意欲を向上させ得るディジタルコンテンツのコピー方法を提供することである。
【０００６】
【課題を解決するための手段】
本発明は、メモリーにディジタルデータを格納し、そのメモリーからディジタルデータのコピーを出力するディジタルコピー方法において、メモリーから取り出したディジタルデータから、より有効情報量を削減したディジタルデータを生成して出力するディジタルコピー方法を特徴とする。ここで有効情報量とは、オリジナルのディジタルデータの情報量を基準にして保存される情報量の割合を言うものとする。
【０００７】
また本発明は、オリジナルのディジタルデータから各々有効情報量の異なる複数のディジタルコピーを作成し、そのディジタルコピーを各々異なる回数だけ暗号化したディジタルコンテンツ集合をメモリーに格納し、そのメモリーから取り出したデイジタルコンテンツ集合を所定の回数だけ復号化してそのディジタルコンテンツ集合中の１つのデイジタルコピーを利用可能にして出力するディジタルコピー方法を特徴とする。さらに本発明は、上記の特徴をもつディジタルコンテンツの記録装置を特徴とする。
【０００８】
【発明の実施の形態】
本発明の実施形態について図を用いて説明する。
【０００９】
まず本発明の第1のデータ生成方法について説明する。本発明の第1のデータ生成方法は、1つのコンテンツから複数の品質のエンコードディジタルコンテンツを生成し、1つにまとめ、利用できるエンコードディジタルコンテンツを制限するために暗号化を用い、暗号化エンコードディジタルコンテンツ集合を生成する。
【００１０】
図１は、ディジタルコンテンツを登録し、登録されたディジタルコンテンツのコピーを取り出すための記憶装置（２００）の構成を示す図である。メモリー（２１２）は、登録されたディジタルコンテンツを保存する機構である。データ生成部（３００）は、ディジタルコンテンツ入力（２０１）、またはアナログコンテンツ入力（２０２）から入力されディジタル化されたオリジナルのコンテンツを０回，１回，２回，…暗号化して作成したコンテンツの集合をメモリー（２１２）に格納する機構である。ディジタル出力部（７００）は、メモリー（２１２）からコンテンツ集合を取り出して１回だけ復号してディジタルコピー出力（２０４）から出力する。アナログ出力部（４００）は、メモリー（２１２）からコンテンツ集合を取り出してコンテンツ集合の中で暗号化されていないコンテンツを抽出してアナログコンテンツに変換し、アナログコンテンツ出力（２０３）から出力する。ディジタルコピー入力（２０５）は、当該記憶装置（２００）のディジタルコピー出力（２０４）から出力されたコンテンツ集合または他のコピー元の記憶装置（２００）から出力されたコンテンツ集合のコピーを入力し、メモリー（２１２）に蓄積する。メモリー（２１２）に蓄積されたコンテンツ集合は、ディジタルデータとして直接外部に出力しない。これは、ディジタルコピーによるディジタルコンテンツの完全なコピー作成を防止するためである。
【００１１】
なおここでメモリー（２１２）は、物理的な媒体を特定しない。また記憶装置（２００）は、メモリー（２１２）を含む計算機システム、記憶サブシステム、ディジタルコンテンツの記録装置、ディジタルコンテンツの再生装置などによって実現可能である。
【００１２】
図２は、記憶装置（２００）のデータ生成部（３００）を中心とする部分をデータ生成装置（１００）として構成したときの構成図である。データ生成部（３００）は、ディジタルコンテンツ入力（２０１）に入力されたディジタルコンテンツ、またはアナログコンテンツ入力（２０２）に入力されたアナログコンテンツを暗号化されたエンコードディジタルコンテンツ集合に変換し、メモリー（２１２）に蓄積する。ここで暗号化エンコードディジタルコンテンツ集合は、各々品質の異なる複数の暗号化エンコードディジタルコンテンツの集まりである。メモリー（２１２）に蓄積した暗号化エンコードディジタルコンテンツ集合はデータ出力（１０３）から出力される。
【００１３】
図３は、データ生成部（３００）内部の構成を示す図である。デコーダ（３１１）は、ディジタルコンテンツ入力（２０１）から入力されたデータ圧縮によりエンコードされたディジタルコンテンツをデコードし、セレクタ（３１８）に出力する。A/D変換部（３１２）は、アナログコンテンツ入力（２０２）からの入力をディジタルコンテンツデータに変換し、セレクタ（３１８）に出力する。セレクタ（３１８）はデコーダ（３１１）からの入力または、A/D変換部（３１２）からの入力を、エンコーダ（３１４）に出力する。エンコードパラメータ発生部（３１５）は、1つ以上のエンコードパラメータをエンコーダ（３１４）に出力する。エンコーダ（３１４）は、エンコードパラメータ発生部（３１５）が出力する1つ以上のエンコードパラメータに基づいて、セレクタ（３１８）からの入力を1つ以上のエンコードディジタルコンテンツに変換し、暗号化機構（３１６）に出力する。このとき利用可否情報初期値付加部（３１８）は、利用可否情報初期値記憶部（３１３）が出力する利用可否情報初期値をエンコードディジタルコンテンツに付加する。暗号鍵記憶部（３１７）は、暗号化機構（３１６）に暗号鍵を出力する。暗号化機構（３１６）は、エンコーダ（３１４）が出力した1つ以上のエンコードディジタルコンテンツ、および暗号化機構（３１６）が出力した暗号化エンコードディジタルコンテンツをさらに暗号化し、メモリー（２１２）に出力し蓄積する。
【００１４】
図４は、ディジタル出力部（７００）内部の構成を示す図である。復号化機構（７１１）は入力された暗号化エンコードディジタルコンテンツを、復号鍵記憶部（７１２）が出力する復号鍵を用いて１回だけ復号化し、出力する。暗号鍵記憶部（３１７）が出力する暗号鍵と、復号鍵記憶部（７１２）が出力する復号鍵は、記憶装置（２００）の製造時に設定しても良いし、外部から設定可能にしてよい。暗号鍵記憶部（３１７）は設定された暗号鍵を出力する。復号鍵記憶部（７１２）は設定された復号鍵を出力する。暗号化機構（３１６）および復号化機構（７１１）が用いる暗号化アルゴリズムに対称鍵暗号を用いる場合は、暗号鍵記憶部（３１７）に設定する暗号鍵と、復号鍵記憶部（７１２）に設定する復号鍵を同じ値にする。このとき、暗号鍵記憶部（３１７）と復号鍵記憶部（７１２）は、同じ値を出力するので合わせて１つにして良い。
【００１５】
図5は、暗号化エンコードディジタルコンテンツ集合（５００）のデータ構成を示す図である。暗号化エンコードディジタルコンテンツ集合（５００）は、1つ以上のエンコードディジタルコンテンツ1（５１１）、2（５２１）、3（５３１）を含んでいる。各エンコードディジタルコンテンツは、それぞれ利用可否情報1（５１２）、2（５２２）、3（５３２）を有する。利用可否情報は、エンコードディジタルコンテンツが利用可能か否かを判定するためのヘッダとして使用される。エンコードディジタルコンテンツ1（５１１）、2（５２１）、3（５３１）は、各々付属する利用可否情報1（５１２）、2（５２２）、3（５３２）とともに、それぞれ０回、１回、２回だけ暗号化されたコンテンツであり、その番号の順に品質が低下する。暗号化エンコードディジタルコンテンツ集合（５００）は、利用可否情報１（５１２）、エンコードディジタルコンテンツ１（５１１）、利用可否情報２（５２２）、エンコードディジタルコンテンツ２（５２１）、利用可否情報３（５３２）、エンコードディジタルコンテンツ３（５３１）の順に並んでいる。利用可否情報１（５１２）、２（５２２）、３（５３２）のサイズは、同一の固定長であり、暗号化機構で用いる暗号アルゴリズムのブロックサイズに一致する。暗号アルゴリズムのブロックサイズとは、暗号化あるいは復号化を行うデータサイズの最小単位である。エンコードディジタルコンテンツ１（５１１）、２（５２１）、３（５３１）のサイズは、それぞれ可変長であるが、それ自身がエンコード情報として、データサイズを記録している。したがって、各エンコードディジタルコンテンツの暗号化エンコードディジタルコンテンツ集合の中での位置は、最初のエンコードディジタルコンテンツのデータサイズから求めることができる。また、エンコードディジタルコンテンツのエンコード情報は、エンコード形式、データサイズ、サンプリングレート、量子化ビット数を記録する。
【００１６】
以下、各部の動作について説明する。データ生成装置（１００）は、ディジタルコンテンツ入力（２０１）から入力されたディジタルコンテンツまたはアナログコンテンツ入力（２０２）から入力されたアナログコンテンツ入力をデータ生成部（３００）で処理して、暗号化エンコードディジタルコンテンツ集合を生成し、メモリー（２１２）に蓄積する。メモリー（２１２）に蓄積した暗号化エンコードディジタルコンテンツ集合は、データ出力（１０３）から出力される。
【００１７】
次にデータ生成部（３００）での処理について述べる。入力コンテンツがディジタルコンテンツの場合、データ圧縮によりエンコードされたディジタルコンテンツは、始めにデコーダ（３１１）によりデコードされる。データ生成装置（１００）に入力可能なディジタルコンテンツのデータ形式は、デコーダ（３１１）がデコード可能なデータ形式である。デコーダ（３１１）は、入力する可能性のあるデータ形式にあわせて置き換えても良い。入力されたコンテンツがアナログコンテンツの場合、アナログコンテンツは、始めにA/D変換部（３１２）によりディジタルコンテンツに変換される。エンコーダ（３１４）は、デコードされた、あるいはA/D変換により変換されたディジタルコンテンツを、1つ以上のエンコードパラメータにより、1つ以上の品質のエンコードディジタルコンテンツにエンコードする。エンコードパラメータは、ディジタルコンテンツをエンコードするときにその品質を決めるパラメータである。品質は、量子化ビット数、サンプリングレートなどのエンコードパラメータにより決定される。ディジタルコンテンツを再生するとき、品質の高低は、単位再生時間当りの有効情報量の多少に一致する。有効情報量は、オリジナルのコンテンツの情報を基準にして、そのコンテンツのコピーがオリジナルのコンテンツの情報を保存している割合で数量化することができる。例えば有効情報量５０％は、エンコード方式が何であれ、コピーされたコンテンツがオリジナルコンテンツの情報量の５０％を保存し、残り５０％がオリジナルにはない無意味な情報量であることを意味する。エンコードパラメータはエンコードパラメータ発生部（３１５）が発生する。エンコードパラメータ発生部（３１５）が発生するエンコードパラメータは、外部から与えることができる。
【００１８】
例として、デコーダ（３１１）でデコードされた、あるいはA/D変換部（３１２）により変換されたディジタルコンテンツから、図5に示す暗号化エンコードディジタルコンテンツ集合（５００）を生成する方法を述べる。3つのエンコードパラメータを用いて、ディジタルコンテンツをエンコードディジタルコンテンツ1（５１１）、2（５２１）、3（５３１）にエンコードする。エンコードするディジタルコンテンツの数は3以外であってもよい。またデコーダ（３１１）でデコードされたディジタルコンテンツの替わりにA/D変換部（３１２）でA/D変換したアナログコンテンツであってもよい。3つのエンコードディジタルコンテンツは、エンコードディジタルコンテンツ１（５１１）の品質が最も高く、エンコードディジタルコンテンツ2（５２１）の品質が2番目で、エンコードディジタルコンテンツ3（５３１）の品質が最も低い。エンコードディジタルコンテンツ１（５１１）、2（５２１）、3（５３１）にはそれぞれ利用可否情報付加部（３１８）により、利用可否情報１（５１２）、２（５２２）、３（５３２）としてすべて初期値Vが付加される。利用可否情報の初期値Vは利用可否情報初期値記憶部（３１３）に記憶される。利用可否情報は、エンコードディジタルコンテンツの一部として暗号化および復号化を行われ、値が変化する。エンコードディジタルコンテンツに行った暗号化と復号化の回数が等しいとき、利用可否情報は初期値Vと等しくなり、エンコードディジタルコンテンツが利用可能であることを示す。エンコードディジタルコンテンツに行った暗号化と復号化の回数が異なる場合は、利用可否情報は初期値Vと異なる値になり、利用可能ではないことを示す。
【００１９】
利用可否情報を付加されたエンコードディジタルコンテンツは、次に暗号化機構（３１６）により暗号化される。暗号化は対称鍵暗号により行う。対称鍵暗号は、暗号化と復号化で同じ鍵Ｋを用いる暗号アルゴリズムである。暗号化機構（３１６）は出力を再び入力することにより、同じ鍵Kによる複数回の暗号化が可能である。鍵Kは、暗号鍵記憶部（３１７）に記憶され暗号化機構（３１６）に出力されている。暗号化機構（３１６）は、エンコードディジタルコンテンツ１（５１１）、2（５２１）、3（５３１）を、カウンタ制御によりそれぞれ0回、1回、2回暗号化する。暗号化されたエンコードディジタルコンテンツは、1つにまとめて、図5に示す暗号化エンコードディジタルコンテンツ集合（５００）としてメモリー（２１２）に蓄積される。
【００２０】
ここで、暗号化と復号化は対になる処理であり、エンコードディジタルコンテンツを鍵Kである回数暗号化した場合、鍵Kを用いて復号化を暗号化と同じ回数行えば元のエンコードディジタルコンテンツを利用できる。暗号化または復号化のいずれか一方がより多く行われたエンコードディジタルコンテンツは、暗号化または復号化の回数の多い方が、その回数の差の分だけ行われた状態に相当するので、元のエンコードディジタルコンテンツを利用することは困難である。したがって、暗号化エンコードディジタルコンテンツ集合（５００）が持つエンコードディジタルコンテンツをそれぞれ異なる回数、暗号化することにより、復号化回数と暗号化回数が一致したエンコードディジタルコンテンツのみが限定的に使用可能になる。
【００２１】
具体的に述べると、暗号化エンコードディジタルコンテンツ集合（５００）が、データ生成部（３００）により生成され、メモリー（２１２）に蓄積された段階では、エンコードディジタルコンテンツ1（５１１）は暗号化されていないため、利用可能である。しかし、エンコードディジタルコンテンツ2（５２１）、3（５３１）は暗号化されているため利用可能ではない。暗号化エンコードディジタルコンテンツ集合（５００）の全体を1回復号化すると、エンコードディジタルコンテンツ2（５２１）は、暗号化と復号化の回数が等しくなり利用可能になる。しかし、エンコードディジタルコンテンツ1（５１１）は復号化が暗号化より1回多く、エンコードディジタルコンテンツ3（５３１）は暗号化が復号化より1回多く行われた状態であるため、利用可能ではない。暗号化エンコードディジタルコンテンツ集合（５００）を2回復号化すると、エンコードディジタルコンテンツ3（５３１）は、暗号化と復号化の回数が等しくなり利用可能になる。しかし、エンコードディジタルコンテンツ1（５１１）は2回、エンコードディジタルコンテンツ2（５２１）は1回、復号化が暗号化より多く行われた状態であるため、利用可能ではない。
【００２２】
したがって、暗号化エンコードディジタルコンテンツ集合（５００）が含むエンコードディジタルコンテンツの中で使用可能なものを限定することができる。さらに、暗号化エンコードディジタルコンテンツ集合（５００）をコピーする時に1回復号化を行うことにより、使用可能なエンコードディジタルコンテンツを変更することができる。このとき、コピーがオリジナルから何代目であるかという情報は必要としない。
【００２３】
以上により、本発明の第1のデータ生成方法では、コンテンツ生成者は、複数の異なるエンコードパラメータを設定し、暗号化エンコードディジタルコンテンツ集合（５００）を生成することにより、復号化してコピーすると再生する内容が変化する暗号化エンコードディジタルコンテンツ集合（５００）を生成することが出来る。さらに、コピー回数即ち復号化回数と、利用可能なエンコードディジタルコンテンツの対応を、暗号化エンコードディジタルコンテンツ集合を生成するときに決めることができる。
【００２４】
次に、本発明の第1のコピー方法について説明する。本発明の第1のコピー方法では、コピー元の記憶装置（２００）のメモリー（２１２）に蓄積されている暗号化エンコードディジタルコンテンツ集合の利用可能なエンコードディジタルコンテンツを復号化により利用不能にし、別のエンコードディジタルコンテンツを利用可能にしたものをコピー先の記憶装置（２００）に出力することにより、ディジタルコピーによる完全なコピーを防止する。
【００２５】
図４に示すディジタル出力部（７００）は、メモリー（２１２）に蓄積された暗号化エンコードディジタルコンテンツ集合を１回だけ復号化することにより利用可能なエンコードディジタルコンテンツを変更し、復号化されたエンコードディジタルコンテンツ集合をディジタルコピー出力（２０４）から出力する。
【００２６】
図６に示すアナログ出力部（４００）は、メモリー（２１２）に蓄積された暗号化エンコードディジタルコンテンツ集合から利用可能なエンコードディジタルコンテンツを抽出し、抽出したエンコードディジタルコンテンツをデコードし、アナログコンテンツ出力（２０３）からアナログコンテンツとして再生する。エンコードディジタルコンテンツ抽出部（４２０）は、入力された暗号化エンコードディジタルコンテンツ集合に含まれる各エンコードディジタルコンテンツの利用可否情報を調べ、利用可能なエンコードディジタルコンテンツをデコーダ（４３０）に出力する。例えば図５に示す暗号化エンコードディジタルコンテンツ集合を最初にコピーするときには、利用可否情報１（５１２）が初期値Ｖであり、利用可能であることを示しているので、エンコードディジタルコンテンツ１（５１１）が利用可能である。デコーダ（４３０）は、エンコードディジタルコンテンツ抽出部（４２０）が出力したエンコードディジタルコンテンツをデコードし、D/A変換部（４４０）にディジタルコンテンツを出力する。D/A変換部（４４０）は、デコーダ（４３０）が出力したディジタルコンテンツをD/A変換し、アナログコンテンツ出力（２０３）から出力する。
【００２７】
メモリー（２１２）に蓄えられた暗号化エンコードディジタルコンテンツ集合（５００）の出力には、コンテンツの再生を目的としたアナログ出力と、コンテンツのコピーを目的としたディジタル出力がある。
【００２８】
コンテンツの再生を目的とする場合は、最終的にディスプレイやスピーカ等の出力装置を用いてユーザが知覚できるアナログ形式で出力する。出力装置までの経路に暗号化等により保護していない状態で利用可能なディジタル形式で出力すると、ディジタルコピーにより品質変化を伴わないコピーが可能になる。そこで、このようなディジタルコピーを防止するために、記憶装置（２００）からの再生を目的とした出力は、アナログ出力部（４００）により、アナログ形式でのみ出力する。
【００２９】
コンテンツのコピーを目的とする場合は、メモリー（２１２）に最初に蓄積された暗号化エンコードディジタルコンテンツ集合をそのまま出力すると、エンコードディジタルコンテンツ１（５１１）により品質変化を伴わずに完全なコピーが可能になる。そこで、ディジタル出力部（７００）は、品質変化を伴わないコピーを作ることを防止するために、メモリー（２１２）に蓄積されている暗号化エンコードディジタルコンテンツ集合を復号化鍵記憶部（７１２）が出力する復号化鍵を用いて復号化機構（７１１）により1回復号化し、利用可能なエンコードディジタルコンテンツを変更して出力する。このようにして、ディジタル出力部（７００）が出力した暗号化エンコードディジタルコンテンツ集合は、ディジタルコピー出力（２０４）から出力され、コピー先の記憶装置（２００）に転送される。コピー先の記憶装置（２００）もコピー元の記憶装置（２００）と同じ構成をとる。コピー先記憶装置は、コピー元記憶装置が１回復号して出力した暗号化エンコードディジタルコンテンツ集合を、ディジタルコピー入力（２０５）から受け取る。受け取った暗号化エンコードディジタルコンテンツ集合は、コピー元記憶装置のメモリー（２１２）に蓄積されている最初の暗号化エンコードディジタルコンテンツ集合を1回復号化し、利用可能なエンコードディジタルコンテンツの品質を変更したものであるため、コピー先記憶装置が利用可能なディジタルコンテンツの品質は、コピー元記憶装置が利用可能なオリジナルのディジタルコンテンツの品質より劣化する。
【００３０】
以上のように、本発明の第1のコピー方法では、コピー元記憶装置のメモリーに蓄積されている暗号化エンコードディジタルコンテンツ集合のうち、利用可能なオリジナルのエンコードディジタルコンテンツを復号化により利用不能にし、品質の劣化したエンコードディジタルコンテンツを利用可能にしたものをコピー先記憶装置に出力する。これにより、暗号化エンコードディジタルコンテンツ集合の作成者が決めた順番でコピーを行うごとにコンテンツの品質を低下させていくことができる。また、ディジタルコピーによる完全なコピーを防止することができる。
【００３１】
次に、本発明の第2のコピー方法について図７を用いて説明する。本発明の第2のコピー方法では、コピー元記憶装置のメモリー（２１２）に蓄積しているディジタルコンテンツの品質を劣化してコピー先記憶装置に出力することにより、ディジタルコピーによる完全なコピーを防止する。
【００３２】
図７は、第２のコピー方法を適用するコピー元の記憶装置（６００）及びコピー先の記憶装置（６００）の構成を示す図である。コピー元の記憶装置（６００）とコピー先の記憶装置（６００）は、同一の構成をとる。第２のコピー方法では、第１のデータ生成方法で示したデータ生成部（３００）に相当するものはなく、単にエンコードされた単一のディジタルコンテンツをメモリー（６１１）に格納するだけでメモリー（６１１）への蓄積が完了する。ディジタルコピー入力（６０１）は、オリジナルのエンコードディジタルコンテンツ、当該記憶装置（６００）のディジタルコピー出力（６０３）または他のコピー元の記憶装置（６００）から出力されたエンコードディジタルコンテンツを入力し、メモリー（６１１）に蓄積する。
【００３３】
デコーダ（６１４）は、メモリー（６１１）に蓄積されたエンコードディジタルコンテンツをデコードしたディジタルコンテンツを、D/A変換部（６１２）およびエンコーダ（６１３）に出力する。D/A変換部（６１２）は、デコーダ（６１４）が出力したディジタルコンテンツをアナログコンテンツに変換し、アナログコンテンツ出力（６０２）から出力する。パラメータ劣化機構（６１５）は、デコーダ（６１４）が出力したディジタルコンテンツのエンコードパラメータを、より劣化するパラメータに変換しエンコーダに出力する。エンコーダ（６１３）は、デコーダ（６１４）が出力したディジタルコンテンツをパラメータ劣化機構（６１５）が出力したエンコードパラメータによりエンコードし、ディジタルコピー出力（６０３）から出力する。
【００３４】
記憶装置（６００）は、外部から入力したディジタルコンテンツを蓄積し、再生を目的としたアナログ形式での出力と、コピーを目的としたディジタル形式での出力をする。記憶装置（６００）は、ディジタルコンテンツの完全なコピーを防ぐために、ディジタルコピーを行う場合は、ディジタルコンテンツをメモリー（６１１）に蓄積された品質から劣化させて出力する。再生する場合は、アナログ形式でのみ出力する。
【００３５】
例えば、メモリー（６１１）に蓄積された最高品質のディジタルコンテンツを再生する場合は、ディジタルコンテンツをデコーダ（６１４）によりデコードし、D/A変換部（６１２）によりD/A変換しアナログコンテンツ出力（６０２）を通して、アナログ形式で出力する。ディジタルコンテンツは、D/A変換により劣化するため、再びA/D変換により元のディジタルコンテンツと同品質に戻すことはできない。また、メモリー（６１１）に蓄積された最高品質のディジタルコンテンツをコピーする場合は、ディジタルコンテンツをデコーダ（６１４）によりデコードし、エンコーダ（６１３）によりエンコードして、ディジタルコピー出力（６０３）を通して外部に出力する。エンコーダ（６１３）が用いるエンコードパラメータは、パラメータ劣化機構（６１５）により、メモリー（６１１）に蓄積されている最高品質のディジタルコンテンツのエンコードパラメータを劣化して求める。デコーダ（６１４）によりディジタルコンテンツのエンコードパラメータを解読できるので、そのエンコードパラメータを劣化させる。例えば、量子化ビットあるいはサンプリングレートを下げることで、エンコードパラメータは劣化する。エンコーダ（６１３）が、この劣化したエンコードパラメータを使用することにより、出力されるディジタルコンテンツの品質は、メモリー（６１１）に蓄積された最高品質のディジタルコンテンツの品質より劣るものとなり、出力されるディジタルコンテンツから同品質のコピーを作ることを防止する。
【００３６】
以上のように、本発明の第2のコピー方法では、コピー元の記憶装置のメモリーに蓄積しているディジタルコンテンツの品質を劣化してコピー先の記憶装置に出力している。これにより、コピーはコンテンツが劣化した状態で行うことができる。また、ディジタルコピーによる完全なコピーを防止することができる。パラメータ劣化機構（６１５）は、自動的にエンコードパラメータを劣化させるので、ユーザがメモリー（６１１）からディジタルコピーを出力するとき、このエンコードパラメータに手を加えることはできない。
【００３７】
次に、本発明の第3のコピー方法について図８を用いて説明する。本発明の第3のコピー方法では、コピー元記憶装置のメモリーに蓄積されている暗号化エンコードディジタルコンテンツ集合の利用可能なエンコードディジタルコンテンツを変更し、それまで利用可能であったエンコードディジタルコンテンツを取り除き、コピー先記憶装置に出力することで、ディジタルコピーによる完全なコピーを防止する。
【００３８】
第1のコピー方法における、コピーを目的としたディジタル出力では、最初にメモリーに蓄積された暗号化エンコードディジタルコンテンツ集合を復号化することにより利用可能なエンコードディジタルコンテンツを変更し、品質の低下するエンコードディジタルコンテンツを利用可能とする暗号化エンコードディジタルコンテンツ集合を出力したが、第３のコピー方法では、復号化する前に、メモリーに蓄積されている時に利用可能である品質のよいエンコードディジタルコンテンツを暗号化エンコードディジタルコンテンツ集合から除去する。
【００３９】
本発明の第３のコピー方法を適用した記憶装置は、記憶装置（２００）のディジタル出力部（７００）を、図８に示すディジタル出力部に置き換えることにより構成される。記憶装置（２００）の他の構成要素、すなわちメモリー（２１２）、データ生成部（３００）及びアナログ出力部（４００）については、図１に示す記憶装置（２００）と同じである。すなわちメモリー（２１２）には、図５に示すデータ形式の暗号化エンコードディジタルコンテンツ集合（５００）が蓄積される。除去機構（８１３）は、メモリー（２１２）に蓄積されている暗号化エンコードディジタルコンテンツ集合から利用可能なエンコードディジタルコンテンツを判定し、そのエンコードディジタルコンテンツとそれに対応する利用可否情報を取り除き、復号化機構（８１１）に転送する。もし暗号化エンコードディジタルコンテンツ集合中に利用可能なエンコードディジタルコンテンツがなければ、除去機構（８１３）をバイパスするだけである。復号化機構（８１１）は、復号鍵記憶部（８１２）が出力する復号鍵を用いて、除去機構（８１３）から転送された暗号化エンコードディジタルコンテンツ集合を復号化して出力する。
【００４０】
以上のように、本発明の第3のコピー方法では、コピー元記憶装置のメモリーに蓄積されている暗号化エンコードディジタルコンテンツ集合のうち、それまで利用可能であったエンコードディジタルコンテンツを取り除き出力する。これにより、暗号化エンコードディジタルコンテンツ集合の作成者が決めた順番でコピーを行う毎のコンテンツの品質を劣化させることができる。また、ディジタルコピーによる完全なコピーを防止することができる。またたとえ暗号鍵が解読されたとしても、品質のよいディジタルコンテンツがコピーに利用されるのを防止する。
【００４１】
次に、本発明の第4のコピー方法について図9を用いて説明する。第1のコピー方法は、エンコードディジタルコンテンツ自体を複数回暗号化しコピーごとに復号化を行う方法である。第4のコピー方法は、エンコードディジタルコンテンツをそれぞれ異なるコンテンツ鍵で暗号化を行い、コンテンツ鍵を複数回暗号化しコピー時に復号化を行うようにした方法である。
【００４２】
図9に示す暗号化エンコードディジタルコンテンツ集合（９００）は、エンコードディジタルコンテンツ1（９１１）、2（９２１）、3（９３１）と、それぞれのエンコードディジタルコンテンツに対応するコンテンツ鍵1（９１３）、2（９２３）、3（９３３）と、それぞれのコンテンツ鍵に対応する利用可否情報1（９１２）、2（９２２）、3（９３２）からなる。ここでは、3組のエンコードディジタルコンテンツとコンテンツ鍵と利用可否情報を用いて説明するが、暗号化エンコードディジタルコンテンツ集合が含むこれらの組の数に制限は無い。
【００４３】
各エンコードディジタルコンテンツは、それぞれコンテンツ鍵1（９１３）、2（９２３）、3（９３３）で暗号化されている。コンテンツ鍵1（９１３）、2（９２３）、3（９３３）は、同一の暗号鍵でもよいし、異なる暗号鍵でもよい。また、各コンテンツ鍵はそれぞれ対応する利用可否情報が付加され、利用可否情報とともに鍵Kにより異なる回数暗号化されている。各コンテンツ鍵は付加される利用可否情報の初期値Vはすべて同一の定数である。
【００４４】
以上のような暗号化エンコードディジタルコンテンツ集合（９００）をコピー元記憶装置からコピー先記憶装置にコピーするときに、コピー元記憶装置は、コンテンツ鍵およびそれに対応する利用可否情報を1回復号化し出力する。暗号化エンコードディジタルコンテンツ集合（９００）のコピー回数即ち復号化回数と、暗号化回数が一致するコンテンツ鍵と利用可否情報は、暗号化が行われていない状態に戻る。このときコンテンツ鍵は、利用可能となる。また利用可否情報は、初期値Vに一致しコンテンツ鍵が利用可能であることを示す。コピー先記憶装置は、コンテンツ鍵を用いて対応するエンコードディジタルコンテンツを復号し、利用することができる。暗号化エンコードディジタルコンテンツ集合（９００）のコピー回数即ち復号化回数と、暗号化回数が一致しないコンテンツ鍵と利用可否情報は、暗号化または復号化が行われた状態にあり、利用することはできないため、それに対応するエンコードディジタルコンテンツは利用不能である。
【００４５】
したがって、コピー時に復号化を行うことにより、コピー元記憶装置とコピー先記憶装置で利用可能なエンコードディジタルコンテンツを変更することができる。また、コピー回数と利用可能なエンコードディジタルコンテンツの関係を暗号化エンコードディジタルコンテンツ集合（９００）の作成時に決めることができる。
【００４６】
第４のコピー方法を適用する記憶装置の構成は、図１に示す記憶装置（２００）と同じ構成をとる。ただしデータ生成部（３００）の暗号化機構（３１６）は、暗号化エンコードディジタルコンテンツ集合に含まれる各エンコードディジタルコンテンツを対応するコンテンツ鍵で１回だけ暗号化する。また暗号化機構（３１６）は、別の暗号鍵を用いて利用可否情報1（９１２）とコンテンツ鍵1（９１３）を０回暗号化し、利用可否情報２（９２２）とコンテンツ鍵２（９２３）を１回暗号化し、利用可否情報３（９３２）とコンテンツ鍵３（９３３）を２回暗号化する。この暗号化の対象として、暗号化されたエンコードディジタルコンテンツを含めてもよい。またデイジタル出力部（７００）の復号化機構（７１１）は、各エンコードディジタルコンテンツに対応する利用可否情報とコンテンツ鍵（及びエンコードディジタルコンテンツ）を１回だけ復号する。またアナログ出力部（４００）のデコーダ（４３０）は、利用可能なエンコードディジタルコンテンツを対応するコンテンツ鍵で復号する処理も行う。
【００４７】
以上のように、本発明の第4のコピー方法では、コピー元記憶装置からコピー先記憶装置にコピーする時に、復号化を行うことにより、暗号化エンコードディジタルコンテンツ集合（９００）の利用可能なエンコードディジタルコンテンツを変更する。これにより、暗号化エンコードディジタルコンテンツ集合の作成者が決めた順番でコピーを行う毎のコンテンツの品質を変化することができる。また、ディジタルコピーによる完全なコピーを防止することができる。
【００４８】
次に、本発明の第2のデータ生成方法について説明する。第1のデータ生成方法では、入力コンテンツのエンコードパラメータを変更することによって、複数の品質のコンテンツデータを生成し、暗号化エンコードディジタルコンテンツ集合を生成した。音楽、映像のような芸術性を求められるディジタルコンテンツでは、量子化ビットやサンプリングレートなどのエンコードパラメータを変更することにより、そのディジタルコンテンツの品質を変更することができる。一方、テキストのような情報の伝達を目的とするディジタルコンテンツでは、伝達する情報の量を変更することにより、そのディジタルコンテンツの品質を変更することができる。そこで、第2のデータ生成方法では、入力コンテンツの一部を削除、あるいは暗号化により隠蔽することにより品質を劣化したコンテンツから成るデータを生成する。
【００４９】
第2のデータ生成方法を適用したデータ生成装置は、第1のデータ生成方法を適用するデータ生成装置は、データ生成装置（１００）の構成をとる。ただし、データ生成装置（１００）は、データ生成部（３００）の代りに図10に示すデータ生成部（１０００）の構成をとる。図1のディジタルコンテンツ入力（２０１）に入力されたディジタルコンテンツは、データ生成部（１０００）へ入力される。データ生成部（１０００）は、入力されたディジタルコンテンツを変換部（１０１１）で、それぞれ異なる部分を削除した3つのデータ、データ1、データ2、データ３に変換する。ディジタルコンテンツの一部を削除したデータへの変換は、ディジタルコンテンツの全体から削除しない部分を抽出することにより行う。変換部（１０１１）により出力されるデータの数は外部から制御することができ、ここでは、3つであるが、3つ以外であっても良い。また、データの一部を削除する代わりに暗号化により隠蔽しても良い。このとき暗号化に用いる暗号鍵は外部から与えることができる。変換した3つのデータは、例えば入力されたディジタルコンテンツのどこも削除していないデータ1、入力されたディジタルコンテンツの後方半分を削除したデータ2、入力されたディジタルコンテンツの後方3/4を削除したデータ3である。このとき後方とは、入力されたディジタルコンテンツの中でデータ生成装置（１００）により後から入力した部分を指す。あるいは、通常のコンテンツ利用において時間的により後で利用する部分であっても良い。それぞれの削除する範囲はデータ生成部（１０００）の外部から指定することができる。入力されたディジタルコンテンツデータに対して、データ1は全部、データ2は半分、データ3は1/4の部分が削除されずに利用可能になっている。これにより、3つのデータの中で、データ1が最も品質がよく、データ2が2番目、データ3が最も品質が低いデータとなる。このようにして生成した3つのデータを、第1のデータ生成方法と同様に、利用可否情報付加部（３１８）により利用可否情報を付加し、暗号化機構（３１６）により共通鍵Kでそれぞれ0回、1回、2回暗号化を行い、1つのデータとしてまとめることにより、第1のデータ生成方法により生成される暗号化エンコードディジタルコンテンツ集合と同様の効果を持ち、コピーするときに1回復号化することにより、データ1、データ2、データ3の順番に利用可能なコンテンツを変更することのできるデータを生成する。このデータは、コピーを繰り返すと品質が劣化するデータとなる。
【００５０】
以上のように、本発明の第2のデータ生成方法により生成されるデータは、本発明の第1のデータ生成方法により生成される暗号化エンコードディジタルコンテンツ集合と同様に復号化することにより利用可能なコンテンツを変更できる。よって、本発明の第2のデータ生成方法により生成されるデータは、本発明の第1、第3及び第4のコピー方法を適用することが可能である。
【００５１】
次に、本発明の第5のコピー方法について図11、12、13を用いて説明する。本発明の第5のコピー方法では、図13に示すコピー元記憶装置1（１３０１）のメモリーに蓄積しているディジタルコンテンツの品質を劣化してコピー先記憶装置2（１３０２）に出力することにより、ディジタルコピーによる完全なコピーを防止する。音楽、映像のような芸術性を求められるディジタルコンテンツでは、量子化ビットやサンプリングレートなどのエンコードパラメータを低くすることにより、ディジタルコンテンツの品質を劣化することができる。一方、テキストのような情報の伝達を目的とするディジタルコンテンツでは、伝達する情報の一部を欠落させることにより、そのディジタルコンテンツの品質を劣化することができる。
【００５２】
第５のコピー方法では、第１のデータ生成方法で示したデータ生成部（３００）に相当するものはなく、単一のディジタルコンテンツをメモリー（１１１１）に格納するだけでメモリー（１１１１）への蓄積が完了する。ディジタルコンテンツ入力（１１０１）は、オリジナルのディジタルコンテンツ、当該記憶装置（１１００）のディジタルコピー出力（１１０２）または他のコピー元の記憶装置（１１００）から出力されたディジタルコンテンツを入力し、メモリー（１１１１）に蓄積する。
【００５３】
図13の記憶装置1（１３０１）は、図11に示す記憶装置（１１００）に相当する。記憶装置2（１３０２）は、メモリーを有する記憶装置である。記憶装置2（１３０２）は、図11に示す記憶装置（１１００）の構成をとっていてもよい。記憶装置1（１３０１）は、蓄積しているディジタルコンテンツを加工して出力し、ディジタル伝送路（１３０３）を介し、記憶装置2（１３０２）にディジタルコンテンツのコピーを行う。ディジタル伝送路（１３０３）は、記憶装置1（１３０１）と記憶装置2（１３０２）が接続可能であれば、物理的構成、論理的構成、規模を問わない。
【００５４】
図11に示す記憶装置（１１００）は、ディジタルコンテンツ入力（１１０１）とメモリー（１１１１）と変換部（１１１２）とディジタルコピー出力（１１０２）からなる。さらに、記憶装置（１１００）は、メモリー（１１１１）に蓄積されたディジタルコンテンツを再生する再生部（１１１３）を有していても良い。メモリー（１１１１）は、ディジタルコンテンツ入力（１１０１）から入力されたディジタルコンテンツを蓄積する。変換部（１１１２）は、セレクタ（１１２１）と劣化機構（１１２２）と劣化方法抽出部（１１２３）と劣化範囲制御部（１１２４）からなり、メモリー（１１１１）に蓄積されたディジタルコンテンツの一部を削除あるいは、暗号化により隠蔽しディジタルコピー出力（１１０２）から出力する。
【００５５】
図12に示す劣化条件を付加されたディジタルコンテンツ（１２００）は、ディジタルコンテンツ（１２０１）と劣化条件（１２０２）からなる。ディジタルコンテンツ（１２０１）は、映像、音楽、テキストなどのディジタルデータである。劣化条件（１２０２）は、ディジタルコンテンツ（１２０１）をディジタルコピーするときに、ディジタルコンテンツ（１２０１）を劣化させる範囲、方法を示すパラメータである。
【００５６】
記憶装置（１１００）は、ディジタルコンテンツ入力（１１０１）から入力されたディジタルコンテンツをメモリー（１１１１）に蓄積する。入力されるディジタルコンテンツは、コピー時に変換部（１１１２）でディジタルコンテンツ（１２０１）を劣化させる範囲と方法を示す劣化条件（１２０２）が付加された劣化条件付ディジタルコンテンツ（１２００）であってもよい。記憶装置（１１００）は、蓄積したディジタルコンテンツを外部に出力する場合、メモリー（１１１１）に蓄積されたディジタルコンテンツの一部を削除あるいは、暗号化により隠蔽することにより、コピー先でのコンテンツの一部の利用を制限し、コンテンツとしての品質を劣化して出力する。このとき、劣化条件付ディジタルコンテンツ（１２００）の場合は、変換部（１１１２）は、付加されている劣化条件（１２０２）を使用して、ディジタルコンテンツ（１２０１）の一部を削除あるいは、暗号化により隠蔽しディジタルコピー出力（１１０２）から出力する。このとき劣化方法抽出部（１１２３）は劣化条件（１２０２）から暗号化あるいは削除等の劣化方法を判断し劣化機構（１１２２）を制御する。また、劣化範囲制御部（１１２４）は劣化条件（１２０２）から劣化させる範囲を判断し、セレクタ（１１２１）を制御する。セレクタ（１１２１）は、メモリー（１１１１）に蓄積されたディジタルコンテンツと劣化したディジタルコンテンツが入力され、劣化範囲制御部（１１２４）の判断により入力のいずれかをディジタルコピー出力（１１０２）から出力する。劣化条件（１２０２）は劣化条件付ディジタルコンテンツ（１２００）の作成時に付加することができる。劣化条件が付いていないディジタルコンテンツの場合は、変換部（１１１２）は、既定の条件を使用して、ディジタルコンテンツの一部を削除あるいは、暗号化により隠蔽しディジタルコピー出力（１１０２）から出力する。変換部（１１１２）の既定の条件は、記憶装置（１１００）の製造時に設定することができる。
【００５７】
再生部（１１１３）は、メモリー（１１１１）に蓄積されたディジタルコンテンツを人間の感覚によってとらえ得る媒体として再生し、再生したディジタルコンテンツを記憶装置（１１００）内部で表示することにより、再生部（１１１３）からディジタルコンテンツの完全なコピーを外部に取り出すことを防止する。あるいは、ディジタルコンテンツが文字情報であれば、外部ディスプレイに対しコンテンツの文字情報を表示した画面情報を出力することにより、画面情報から文字情報を再構成することは困難であることから、再生部（１１１３）の出力からディジタルコンテンツの完全なコピーを作成することを防止した状態でディジタルコンテンツの再生を行う。あるいは、ディジタルコンテンツが映像または音声情報の場合は、外部ディスプレイまたはスピーカーにアナログ情報を出力することにより、再生部（１１１３）の出力からディジタルコンテンツの完全なコピーを作成することを防止した状態でディジタルコンテンツの再生を行う。
【００５８】
以上により、本発明の第5のコピー方法では、記憶装置（１１００）と同様の構成を持つ記憶装置1（１３０１）と記憶装置2（１３０２）とそれらを結ぶディジタル伝送路（１３０３）からなる系（１３００）において、コピー元の記憶装置1（１３０１）からコピー先の記憶装置2（１３０２）にディジタルコンテンツのコピーを行う場合、記憶装置1（１３０１）が蓄積するディジタルコンテンツに比べ、記憶装置2（１３０２）にコピーされたディジタルコンテンツの品質は劣るものとなる。これにより、コピーはコンテンツが劣化した状態で行うことができる。また、ディジタルコピーによる完全なコピーを防止することができる。
【００５９】
【発明の効果】
本発明によれば、ディジタルコンテンツの著作者の権利を保護しつつ、利用者のディジタルコンテンツの取得意欲を向上できるという効果を奏する。
【図面の簡単な説明】
【図１】実施形態の記憶装置（２００）の構成を示す図である。
【図２】実施形態のデータ生成装置（１００）の構成を示す図である。
【図３】実施形態のデータ生成部（３００）内部の構成を示す図である。
【図４】実施形態のディジタル出力部（７００）内部の構成を示す図である。
【図５】実施形態の暗号化エンコードディジタルコンテンツ集合（５００）のデータ構成を示す図である。
【図６】実施形態のアナログ出力部（４００）内部の構成を示す図である。
【図７】実施形態の記憶装置（６００）の構成を示す図である。
【図８】実施形態のディジタル出力部（８００）の構成を示す図である。
【図９】実施形態の暗号化エンコードディジタルコンテンツ集合（９００）のデータ構成を示す図である。
【図１０】実施形態のデータ生成部（１０００）の構成を示す図である。
【図１１】実施形態の記憶装置（１１００）の構成を示す図である。
【図１２】実施形態の劣化条件付ディジタルコンテンツを示す図である。
【図１３】ディジタル伝送路とそれに接続するコピー元記憶装置とコピー先記憶装置からなる系を示す図である。
【符号の説明】
200…記憶装置、212…メモリー、300…データ生成部、313…利用可否情報初期値記憶部、314…エンコーダ、315…エンコードパラメータ発生部、316…暗号化機構、317…暗号鍵記憶部、400…アナログ出力部、500…暗号化エンコードディジタルコンテンツ集合、600…記憶装置、611…メモリー、613…エンコーダ、615…パラメータ劣化機構、700…ディジタル出力部、711…復号化機構、712…復号化鍵記憶部、800…ディジタル出力部、811…復号化機構、812…復号化鍵記憶部、813…除去機構、900…暗号化エンコードディジタルコンテンツ集合、
1000…データ生成部、1011…変換部、1100…記憶装置、1111…メモリー、1112…変換部、1121…再生部、1122…劣化機構
【図１】
0004271876.tif 000002
【図２】
0004271876.tif 000003
【図３】
0004271876.tif 000004
【図４】
0004271876.tif 000005
【図５】
0004271876.tif 000006
【図６】
0004271876.tif 000007
【図７】
0004271876.tif 000008
【図８】
0004271876.tif 000009
【図９】
0004271876.tif 000010
【図１０】
0004271876.tif 000011
【図１１】
0004271876.tif 000012
【図１２】
0004271876.tif 000013
【図１３】
0004271876.tif 000014